(57)【特許請求の範囲】
【請求項１】
単線材の両端縁を当着し平面視略矩形状とした整理用具本体を有する壁面取付用整理用具であって、前記整理用具本体が、内壁壁面側の左右両側に個々に水平に配置される個々に１本の単線材の長尺片からなる本体後部と、前記壁面から離れた側に前記本体後部と同一高さに平行に配置され前記左右の本体後部の両端側まで延在される１本の単線材からなる本体前部と、前記本体後部および本体前部をそれらの両端部側で個々に連結する１本の単線材からなる本体側部と、前記左右両側に配置される個々の前記本体後部の内側端より下方に屈曲垂下される個々に１本の単線材からなる延出部と、前記左右の延出部下端を連結して水平に延在される１本の単線材からなる本体下部とからなり、
前記本体後部と前記本体前部と前記本体側部と前記延出部と前記本体下部を構成する各１本の単線材が各接続部で連続されて一体化され、
前記本体後部の内側端と前記延出部とが垂直に接続された部分によって係合部が形成され、
前記水平に延在される１本の単線材からなる本体下部の途中部分を平面視Ｕ字型に水平向きに前記本体前部側に屈曲させて突出部が形成された整理用具本体であり、
前記内壁の同一高さ位置に左右に離間して設けた係合部に、前記本体後部の長尺片の両端より内側位置に形成した下方屈曲部の内縁部を嵌合させ、前記整理用具本体を壁面に保持可能であり、
前記突出部の先端に前記突出部を構成する１本の単線材を折曲して上方に傾斜された傾斜付湾出部を形成し、前記本体側部の長さを前記本体前部と前記本体後部の間にボトルを挿入自在な長さとし、前記湾出部の突出長さとして前記傾斜付湾出部先端を前記本体前部と前記本体後部の中間に位置させる長さとし、前記上方に傾斜した傾斜付湾出部先端によって前記本体前部と前記本体後部の間に挿入したボトルの底面中央部を支持可能であることを特徴とする壁面取付用整理用具。
【請求項２】
前記整理用具本体において、前記本体前部に湾曲部を１以上設け、前記湾曲部と前記本体後部との間にボトルを支持可能としたことを特徴とする請求項１に記載の壁面取付用整理用具。
【発明の詳細な説明】
【技術分野】
【０００１】
本発明は、浴室、洗面室、厨房室等の水回りの内壁に取り付けて物品を収納したり、引っ掛けたりして整理する壁面取付用整理用具に関する。
【背景技術】
【０００２】
従来、浴室、洗面室、厨房室等の水回りの内壁に取り付ける整理用具において、整理用具本体を清潔に保つために、清掃性や水切り性が良いことが必要である。さらに、多様な整理物品に対応でき、設置場所や使用条件に合わせた整理ができることが所望されている。
【０００３】
従来、収納体の取付構造としては、浴室の内壁に係止受け部を設け、収納体に別体の係止部を設け、係止受け部に係止部を係止して収納体を着脱自在とすることで、収納体を清潔に保つことができる収納体の取付構造が知られている（特許文献１参照）。
【０００４】
また、シンク用収納ラックとしては、線条体でフレームに底面を設け前面を覆う板状体により構成され、簡単な構造により掃除を簡単におこなうことができるシンク用収納ラックの構造が知られている（特許文献２参照）。
【０００５】
さらに、キッチン用小物吊具としては、ロ字型に曲成した枠体にコ字型部材を上横棒に溶接した吊下ピンを設けて、被吊下げ小物を吊り下げる吊具の構造が知られている（特許文献３参照）。
【先行技術文献】
【特許文献】
【０００６】
【特許文献１】実用新案登録第３１７３７１９号公報
【特許文献２】特開平１１−２４０６０１号公報
【特許文献３】実開平５−２１８４３号公報
【発明の概要】
【発明が解決しようとする課題】
【０００７】
特許文献１に記載の従来構造では、収納体に係止部を別体で固着しており、固着部分の段差や隙間に水垢、カビ、ヌメリ等の汚れが付着しやすい。また、収納体は折り曲げられた複数のワイヤを組み合わせて構成されており、特に底面部のワイヤ交差部には水垢、カビ、ヌメリ等の汚れが付着しやすく収納体を頻繁に清掃する必要があるか、汚れが立体的に付着するため清掃性が良くない等の問題点があった。
【０００８】
特許文献２に記載の構造では、フレームと板状板との係合部の段差や隙間および、収納物品を保持するために板状体や底枠部に線材を平行に複数本架設した底部に水垢、カビ、ヌメリ等の汚れが付着しやすい。さらに、前面を板状体で覆っているため汚れ具合の確認がしにくく、汚れの付着が進行して非衛生的になりやすい等の問題点があった。
特許文献３に記載の構造では、コ字型部材を上横棒材に溶接した吊下げピンの溶接部分に埃やゴミが付着しやすい。また、線材の周囲にコ字型部材を等間隔で且つ同一角度での溶接作業は、細かく且つ煩雑な作業となり吊具の生産性を低下させる等の問題点があった。
【０００９】
本発明は、前記従来の問題点に鑑みなされたものであって、浴室、洗面室、厨房室等の水回りの内壁に取り付ける整理用具への汚れやゴミの付着低減と清掃性を向上させて清潔的に使用でき、さらに多様な整理物品の収納に対応できる使い勝手の良い、壁面取付用整理用具の提供を目的とする。
【課題を解決するための手段】
【００１０】
本発明は、前記課題を解決する手段として、以下の構成を有する。
（１）本発明は、単線材の両端縁を当着し平面視略矩形状とした整理用具本体を有する壁面取付用整理用具において、単線材の両端縁を当着し平面視略矩形状とした整理用具本体を有する壁面取付用整理用具であって、前記整理用具本体が、内壁壁面側の左右両側に個々に水平に配置される個々に１本の単線材の長尺片からなる本体後部と、前記壁面から離れた側に前記本体後部と同一高さに平行に配置され前記左右の本体後部の両端側まで延在される１本の単線材からなる本体前部と、前記本体後部および本体前部をそれらの両端部側で個々に連結する１本の単線材からなる本体側部と、前記左右両側に配置される個々の前記本体後部の内側端より下方に屈曲垂下される個々に１本の単線材からなる延出部と、前記左右の延出部下端を連結して水平に延在される１本の単線材からなる本体下部とからなり、前記本体後部と前記本体前部と前記本体側部と前記延出部と前記本体下部を構成する各１本の単線材が各接続部で連続されて一体化され、前記本体後部の内側端と前記延出部とが垂直に接続された部分によって係合部が形成され、前記水平に延在される１本の単線材からなる本体下部の途中部分を平面視Ｕ字型に水平向きに前記本体前部側に屈曲させて突出部が形成された整理用具本体であり、前記内壁の同一高さ位置に左右に離間して設けた係合部に、前記本体後部の長尺片の両端より内側位置に形成した下方屈曲部の内縁部を嵌合させ、前記整理用具本体を壁面に保持可能であり、前記突出部の先端に前記突出部を構成する１本の単線材を折曲して上方に傾斜された傾斜付湾出部を形成し、前記本体側部の長さを前記本体前部と前記本体後部の間にボトルを挿入自在な長さとし、前記湾出部の突出長さとして前記傾斜付湾出部先端を前記本体前部と前記本体後部の中間に位置させる長さとし、前記上方に傾斜した傾斜付湾出部先端によって前記本体前部と前記本体後部の間に挿入したボトルの底面中央部を支持可能であることを特徴とする。
（２）本発明において、前記整理用具本体において、前記本体前部に湾曲部を１以上設け、前記湾曲部と前記本体後部との間にボトルを支持可能としたことが好ましい。
【００１１】
（２）本発明は、（１）項に記載の壁面取付用整理用具において、前記整理用具本体下部の全部又は一部を前記内壁より室内側に突出させた突出部を設けたことを特徴とする。
（３）本発明は、（１）項または（２）項に記載の前記突出部を湾出形状の湾出部とし、前記湾出部を１以上設けたことを特徴とする。
（４）本発明は、（２）項または（３）項に記載の突出部の全て及び/又は一部が上方に傾斜されていることを特徴とする。
（５）本発明は、（１）項乃至（４）項に記載の前記整理用具本体において、前記本体前部に湾曲部を１以上設けたことを特徴とする。
（６）本発明は、（１）項乃至（５）項に記載の内壁の同一高さ位置に左右に離間して設けた係合部に、前記本体後部の長尺片の両端より内側位置に形成した下方屈曲部の内縁部を嵌合させ、前記整理用具本体を保持したことを特徴とする。
【発明の効果】
【００１２】
本発明によれば、整理用具の整理用具本体を単線の両端縁を当着させた単純な構成とすることで、整理用具の整理用具本体に段差や隙間および部材交差部を一切設けない構造を採用でき、汚れやゴミの付着低減と清掃性向上を図ることができ、より清潔的に使用することができる壁面取付用整理用具を提供することができる。
特に、整理用具本体を構成する本体後部と本体前部と本体側部と延出部と本体下部と突出部と傾斜付湾出部をいずれも１本の連続した単線材から構成することで、上述の効果を得ることができる。
本発明において、物品の収納形態に合わせて、ボトル類等やスポンジ等を整理用具の整理用具本体内部へ入れて収納したり、ブラシ等の長尺物を整理用具本体下部の突出する湾出部に掛けて収納したり、タオル等の帯状物を整理用具本体前部に掛けて収納したりと、多彩な収納パターンにより多様な整理物品に対応することができる、壁面用整理用具を提供することができる。
本発明において、整理用具本体を単線の両端縁を当着させた単品部材で構成することで材料、加工費用の削減を図ることができ、より安価な壁面用整理用具を提供することができる。
本発明において、整理用具本体下部に本体前部と本体後部の中間まで突出し、先端を上方に湾曲させた湾出部からなる突出部を設けることで、ボトル類等やスポンジ等を整理用具の整理用具本体内部へ入れて収納し、支持することができる。本体前部と本体後部との間にボトルを挿入した場合は突出部先端の上方に傾斜した先端でボトルの底部中央を支持することができる。
また、突出部の先端を上方に傾斜させた傾斜付湾出部としておくことにより、スポンジやバスリリーなどを傾斜付湾出部で内壁近くに支持することができ、その前方の本体前部でバスリリーなどと離間してタオルを支持することができる。
【図面の簡単な説明】
【００１３】
【図１】（１）は本発明に係る第１実施形態の壁面取付用整理用具を壁面の係合部に装着した状態を示す斜視図、（ｂ）は同壁面取付用整理用具を係合部から外した状態を示す分解斜視図。
【図２】（ａ）は同壁面取付用整理用具の正面図であり、（ｂ）は（ａ）に示す壁面取付用整理用具の線分Ａ−Ａに沿う断面図、（ｃ）は（ｂ）に示す壁面取付用整理用具のＢ部拡大断面図。
【図３】（ａ）は同壁面取付用整理用具の使用形態図であり、（ｂ）は同壁面取付用整理用具の第２の使用形態図、（ｃ）は同壁面取付用整理用具の第３の使用形態図であり、（ｄ）は（ｃ）に示す壁面取付用整理用具から収納物を取り除いた状態を示す斜視図。
【発明を実施するための形態】
【００１４】
「第１実施形態」
以下、本発明を添付図面に示す実施形態に基づいて説明する。
本実施形態の壁面取付用整理用具は、浴室等の内壁３に取り付けて物品を収納したり、引っ掛けたりして整理する壁面取付用整理用具であり、図１（ａ）に示すように、単線の両端縁を当着した平面視略矩形状とした整理用具本体１と、整理用具本体１を保持する為、内壁３の正面に左右に離間して固定された２つの係合部２とを備えた壁面取付用整理用具である。ここでの当着とは、溶接、接着、圧着等により単線両端縁を当てた状態で一体化した状態を示す。
単線とはステンレス鋼線などの耐食性に優れた直径数ｍｍ程度の金属線材を意味する。
【００１５】
本実施形態の整理用具本体１は、図１に示すように壁面３に沿って配置された状態において、壁面側に配置される本体後部１２と、壁面から離れた側に配置される直線状の本体前部１０と、本体後部１２および本体前部１０をそれらの両端部側で個々に連結する直線状の本体側部９からなる平面視略矩形状に形成されている。本体後部１２および本体前部1０と本体側部９との境界部分は所定の曲率で湾曲されたコーナー部とされている。
整理用具本体１の内壁３に当接する長尺辺の本体後部１２には、前記長尺辺の両端１２ａより内側の位置より下方に延出部１１ａにより屈曲垂下し、平面視本体前部１０と略平行な本体下部１１が形成されており、本体下部１１から内壁３より室内側に平面視Ｕ字状に突出し、先端を湾出形状とし、上方に傾斜させた傾斜付湾出部１３が２〜３箇所（図１の形態では２箇所）形成されている。
【００１６】
係合部２は、図２（ｃ）に示すように、内壁３に当たる円板状の内壁突当て部２０と、内壁突当て部２０の中央部から室内側へ突出した円柱状の係合支持部２１と、係合支持部２１の先端部から突出した円板状の係合蓋２２を備え、内壁突当て部２０と係合蓋２２との間には、整理用具本体１を係合する為の円環状の係合溝２３が形成されている。ここで内壁突当て部２０と係合蓋２２との間隔、すなわち、係合溝２３の溝幅は、整理用具本体１を形成する単線材の直径以上とする。
係合部２は、内壁突当て部２０をビス止め、あるいは金具止めなどの手段により内壁３に取り付けることで固定されている。
【００１７】
整理用具本体1を係合部２に係合させるには、図１（ｂ）のように、内壁３の正面左右に間隔をあけて取り付けられた２つの係合部２の間に、整理用具本体１の本体下部１１を上方より挿入し、整理用具本体１の下方屈曲部１６を係合溝２３に係合する。
ここで係合蓋２２は整理用具本体１の内壁３に対し垂直な方向への移動を抑制し、内壁３に対し平行な方向への移動に関しては、下方屈曲部１６と係合支持部２１が接触することでこれを抑制する。この時、内壁突当て部２０は、整理用具本体１の本体後部１２と内壁３との接触を妨げることで、内壁３への傷付きを防止する。
このように２つの係合部２の間に、整理用具本体１の本体下部１１を上方より挿入し、整理用具本体１の下方屈曲部１６を係合溝２３に係合できるように係合部２の間隔を調整の上、係合部２を内壁３の前面に取り付けておくことが好ましい。
【００１８】
本実施形態の壁面取付用整理用具においては、例えば図３（ａ）、（ｂ）に示すように整理用具本体１の本体前部１０を利用し、タオル３２やスプレーボトル３０を掛けて収納することができ、傾斜付湾出部１３に図３（ａ）に示すようにスポンジ３１や図３（ｂ）に示すようにバスリリー３３などを引っ掛けて収納することも可能である。
また、図３（ｃ）に示すように本体下部１１に２箇所の大型の平面視Ｕ字状の突出部１４を形成することで、ボトル３４の収納も可能である。この例の突出部１４は、先の傾斜付湾出部１３よりも大きく、本体後部１２と本体前部１５の間隔より若干短い奥行きとされている。このような大型の突出部１４であるならば、２つの突出部１４を利用して２本のボトル３４の底部を確実に支持できる。
さらに、図３（ｃ）に示すように本体前部１０の一部を湾曲させた湾曲部１５を２つ設けることで、２本のボトル３４を安定して収納することができる。
この例のように突出部１４の先端側に特に傾斜部分を設けていない構造としても良いが、先の例の湾出部１３のような傾斜部分を突出部１４の先端側にさらに設けても良い。
【００１９】
なお、整理用具本体１は、単線材で形成されており、部材交差部が全く無い為、汚れが付きにくい上に整理用具本体１の清掃が容易である。さらに、整理用具本体１は、上方に持ち上げて係合部２から簡単に取り外すことでき、整理用具本体１をより容易に清掃することが可能である。
また、係合部２に支持された整理用具本体１は、係合部２を介し内壁３と若干隙間をあけて支持されているので、整理用具本体１と内壁３の間の部分に汚れが付き難く、例え汚れが付いたとしても整理用具本体１を係合部２から取り外して整理用具本体１と係合部２の周囲および内壁３の表面を容易に清掃できる。
【符号の説明】
【００２０】
１…整理用具本体、２…係合部、３…内壁、９…本体側部、１０…本体前部、１１…本体下部、１１ａ…延出部、１２…本体後部、１２ａ…両端、１３…傾斜付湾出部、１４…突出部、１５…湾曲部、１６…下方屈曲部、２０…内壁突当て部、２１…係合支持部、２２…係合蓋、２３…係合溝、３０…スプレーボトル、３１…スポンジ、３２…タオル、３３…バスリリー、３４…ボトル。
【図１】
0006566435.tif 000002
【図２】
0006566435.tif 000003
【図３】
0006566435.tif 000004